(57)【要約】【課題】  誤動作を防止することができるタッチパネルスイッチを提供すること。【解決手段】  タッチパネル部６を枠型ジョイント部５を介してアウターケース３に取り付ける機構によるタッチパネル部６の押し込みをロックソレノイド４の駆動機構で止める進退部４１とロックアーム部６２、ロック部３３の係合と、ロック手段を制御する制御部７２を備え、制御部７２は、表示手段又はタッチ操作検出手段の状況に基づいて、ロックソレノイド４の進退部４１によるロックを有効と無効に切り替えた。【選択図】        図１
2008287375.tif 000002
【特許請求の範囲】
【請求項１】
表示面に操作に関する表示を行う表示手段と、手指の接触または接近及び操作位置を検出するタッチ操作検出手段を有するタッチパネルと、
前記タッチパネルを押し込み自在にする可動機構と、
前記タッチパネルの押し込む動作を検出する押し操作検出手段と、
前記可動機構による前記タッチパネルの押し込みを駆動機構で止めるロック手段と、
前記ロック手段を制御する制御手段と、
を備え、
前記制御手段は、前記表示手段又は前記タッチ操作検出手段の状況に基づいて、前記ロック手段を有効と無効に切り替える、
ことを特徴とするタッチパネルスイッチ。
【請求項２】
請求項１に記載のタッチパネルスイッチにおいて、
前記制御手段は、
前記表示手段により表示する操作メニューの複雑さに基づいて、前記ロック手段を有効と無効に切り替える、
ことを特徴とするタッチパネルスイッチ。
【発明の詳細な説明】
【技術分野】
【０００１】
本発明は、表示に触るようにして操作入力を行うタッチパネルスイッチの技術分野に属する。
【背景技術】
【０００２】
従来では、タッチ位置検出手段は、非押圧時におけるスイッチプレートのタッチ面の位置よりもプレートの押下方向に所定距離だけ下がった検出基準位置に、タッチ面と平行に格子状の光線網を形成し、タッチ面が検出基準位置以下に押し下げられた時にそのタッチ面を押圧している手指等によって遮断される光線によってタッチ位置を検出している（例えば、特許文献１参照。）。
【特許文献１】特開平９−２１８７４７号公報（第２−６頁、全図）
【発明の開示】
【発明が解決しようとする課題】
【０００３】
しかしながら、従来のタッチパネルスイッチにあっては、一定量を押下しないとタッチパネルスイッチの反応域に達しないため、画面上での操作が押下途中で行われることになり、その操作途中で誤って決定反応域に達する可能性があり、その結果として誤動作を招く可能性があり、問題であった。
【０００４】
本発明は、上記問題点に着目してなされたもので、その目的とするところは、誤動作を防止することができるタッチパネルスイッチを提供することにある。
【課題を解決するための手段】
【０００５】
上記目的を達成するため、本発明では、表示面に操作に関する表示を行う表示手段と、手指の接触または接近及び操作位置を検出するタッチ操作検出手段を有するタッチパネルと、前記タッチパネルを押し込み自在にする可動機構と、前記タッチパネルの押し込む動作を検出する押し操作検出手段と、前記可動機構による前記タッチパネルの押し込みを駆動機構で止めるロック手段と、前記ロック手段を制御する制御手段と、を備え、前記制御手段は、前記表示手段又は前記タッチ操作検出手段の状況に基づいて、前記ロック手段を有効と無効に切り替える、ことを特徴とする。
【発明の効果】
【０００６】
よって、本発明にあっては、誤動作を防止することができる。
【発明を実施するための最良の形態】
【０００７】
以下、本発明のタッチパネルスイッチを実現する実施の形態を、請求項１，２に係る発明に対応する実施例１に基づいて説明する。
【実施例１】
【０００８】
まず、構成を説明する。
図１は実施例１のタッチパネルスイッチの斜視図である。図２は実施例１のタッチパネルスイッチの分解斜視図である。図３は実施例１のタッチパネルスイッチの断面図である。
なお、構造説明中の上下左右方向は、図１、図２の表示面を手前側とする位置関係に沿ったものとする。
実施例１のタッチパネルスイッチ１は、フィニッシャー２、アウターケース３、ロックソレノイド４、枠型ジョイント部５、タッチパネル部６、基板部７、ロワケース８を主要な構成としている。
フィニッシャー２は、タッチパネルスイッチ１の最も表面側の板状部材であり、化粧版のように、意匠が施される部分である。フィニッシャー２には、開口部２１を設け、この開口部２１にタッチパネルが配置されることになる。
【０００９】
アウターケース３は、厚みのある矩形枠、つまり箱型の表側面と奥側底面を開放した形状である。タッチパネルスイッチ１の装置本体の側部を形成する部分である。
また、アウターケース３の左右に対向する内側中央部には、手前側に半円部分があり、奥側へ行くに従って直線部分の幅が広がるＵ字状の溝を形成した軸受部３１を設ける。
ロックソレノイド４は、矩形枠の外側で、前方へ突出する位置になるようアウターケース３で支持され、駆動電圧のオンオフによる電磁力により内部のアーマチュアの移動により外部へ突出した進退部４１が進退する動作を行うものである。
また、進退部４１が進出した位置には、アウターケース３から表側に突出させるように設けた舌片状のロック部３３を設け、ロック部３３には係合孔３３１を設けて、進退部４１が係合孔３３１を貫通する配置にする。
【００１０】
枠型ジョイント部５は、厚みのある矩形枠形状のものであり、左右に対向する部分の外側中央部には、円柱形状の突起を突起部５１としてそれぞれ設ける。次に、上下に対向する部分の外側中央部には、円形の孔を孔部５２としてそれぞれ設ける。
タッチパネル部６は、厚みのある矩形の板形状で、内部にLCD６４，バックライトを内蔵し、手前側（表側）にディスプレイ表示を行いつつ、表面への手指の接触、近接を抵抗膜方式、静電容量方式でタッチパネル６４により検出する。
そして、上下に対向する部分の外側中央部には、円柱形状の突起を突起部６１としてそれぞれ設ける。
また、下側に舌片状に突出させた部分を、ロックアーム部６２として設ける。このロックアーム部６２には、ロックソレノイド４の進退部４１が貫通できる係合孔６２１を設ける。
【００１１】
基板部７は、タッチパネル部６を押す操作を検出するためのタクトスイッチ７１を４隅に実装し、スイッチ検出とタッチパネル部６の表示駆動、タッチ操作検出のための電池部品を実装する回路基板である。
また、基板部７には、スイッチ入力とロックソレノイド４の駆動を制御する制御部７２を設けるようにする。
ロワケース８は、アウターケース３の奥側の開口を閉じる面となる部分で、枠形状のアウターケース３に挿入または圧入する、手前側に突出するよう立設した枠状及び格子状のリブを有する。
さらに、ロワケース８の左右に対向する部分の外側中央部には、手前に突出させた軸受部８１をそれぞれ設ける。
【００１２】
次に実施例１のタッチパネルスイッチ１の組付け構造について説明する。
実施例１のタッチパネルスイッチ１では、タッチパネル部６の上下の突起部６１を枠型ジョイント部５の上下の孔部５２に回動自在に嵌合させるよう組み付ける。
その際には、枠型ジョイント部５のスリット５３にタッチパネル部６のロックアーム部６２を奥側から挿入する。
これにより、タッチパネル部６は上下の突起部６１を回転軸Ａとして左右方向に所定角度内で回動自在に、枠型ジョイント部５に組付けられる。
【００１３】
次に、基板部７はロワケース８の表側に取り付けられる。そして、タッチパネル部６を取り付けた枠型ジョイント部５を、奥側からアウターケース３の内部に挿入する。
その際には、枠型ジョイント部５の左右外側に設けた突起部５１をＵ字状の軸受部３１に係合させるようにし、この状態で、基板部７を組み付けたロワケース８を奥側からアウターケース３の内部に挿入する。
【００１４】
すると、アウターケース３のＵ字状の軸受部３１が開口している部分を、ロワケース８の軸受部８１が塞ぐようにして、軸受部３１と軸受部８１で、長孔形状の軸受を左右それぞれに形成する。
これにより、枠型ジョイント部５は左右の突起部５１を回転軸Ｂとして上下方向に所定角度内で回動自在に、アウターケース３に組付けられる。
そして、アウターケース３には、基板部７を組み付けたロワケース８が組み付けられる。この際には、基板部７の４隅のタクトスイッチ７１には、タッチパネル部６が所定の間隔を有する位置関係となるようにする。
【００１５】
次に、アウターケース３に、タッチパネル部６を取り付けた枠型ジョイント部５を組み付ける際には、アウターケース３に奥側を開放したスリット３２を設けて、このスリット３２にロックアーム部６２を挿入する。
これにより、組付け状態では、ロックアーム部６２とロック部３３が所定の間隔で並列し、係合孔６２１と係合孔３３１が直列（同軸）に位置することになる。
【００１６】
作用を説明する。
[タッチ操作の検出作用]
実施例１のタッチパネルスイッチ１では、フィニッシャー２の開口部２から露呈するタッチパネル部６の表示部に、手指を接触させると、表示部のどこに接触させたかを静電容量方式や抵抗膜方式で検出する。従来公報「特開平９−２１８７４７号公報」を抵抗膜方式の例として挙げ、説明を省略する。
【００１７】
[ストローク動作作用]
実施例１のタッチパネルスイッチ１では、予め設定された押す操作入力に対しては、タッチパネル部６の表示部への接触を検出するだけでなく、押された面が奥側へ移動するストローク動作を生じる。
（左右方向のストローク動作）
図４は実施例１のタッチパネルスイッチの左右方向のストローク動作状態を示す正面図である。図５は実施例１のタッチパネルスイッチの左右方向のストローク動作状態を示す底面図である。図６は実施例１のタッチパネルスイッチの左右方向のストローク動作状態で且つアウターケースの無い状態を示す底面図である。図７は実施例１のタッチパネルスイッチの左右方向のストローク動作状態を示す側面図である。図８は実施例１のタッチパネルスイッチの左右方向のストローク動作状態を示す斜視図である。図９は実施例１のタッチパネルスイッチの左右方向のストローク動作状態で且つアウターケースの無い状態を示す斜視図である。
【００１８】
実施例１のタッチパネルスイッチ１では、タッチパネル部６の表示面を左右方向に押す操作入力を行うと、タッチパネル部６は、矩形枠形状の枠型ジョイント部５に対して、上下の突起部６１が孔部５２に回転自在支持（回転軸Ａ）となっている。
すると、押す操作が左右方向へ加わることにより、タッチパネル部６は上下方向に設けた突起部６１を軸に、枠型ジョイント部５に対して、左右方向に回転する（図４〜図９参照）。
これにより押した表示面が奥側へ移動するストローク動作になる。
【００１９】
そして、回転により奥側へ移動したタッチパネル部６の左右端部の奥側面が、基板部７の４隅に配置したタクトスイッチ７１の左側２箇所又は右側２箇所をオンにすることで、この動作を検出する。
【００２０】
（上下方向のストローク動作）
図１０は実施例１のタッチパネルスイッチの上下方向のストローク動作状態を示す正面図である。図１１は実施例１のタッチパネルスイッチの上下方向のストローク動作状態を示す側面図である。図１２は実施例１のタッチパネルスイッチの上下方向のストローク動作状態で且つアウターケースの無い状態を示す側面図である。図１３は実施例１のタッチパネルスイッチの上下方向のストローク動作状態を示す斜視図である。図１４は実施例１のタッチパネルスイッチの上下方向のストローク動作状態で且つアウターケースの無い状態を示す斜視図である。
【００２１】
実施例１のタッチパネルスイッチ１では、タッチパネル部６の表示面を上下方向に押す操作入力を行うと、タッチパネル部６を支持している枠型ジョイント部５は、左右の突起部５１がアウターケース３とロワケース８の軸受部３１と軸受部８１で構成する軸受に対して回転自在支持（回転軸Ｂ）となっている。
すると、押す操作が上下方向へ加わることにより、タッチパネル部６は枠型ジョイント部５と共に左右方向に設けた突起部５１を軸に、ロワケース８に対して、上下方向に回転する（図１０〜図１４参照）。
これにより押した表示面が奥側へ移動するストローク動作になる。
【００２２】
そして、回転により奥側へ移動した枠型ジョイント部５と一体に移動するタッチパネル部６の上下端部の奥側面が、基板部７の４隅に配置したタクトスイッチ７１の上側２箇所又は下側２箇所をオンにすることで、この動作を検出する。
【００２３】
実際のストローク動作では、タッチパネル部６の矩形の表示面の４隅近傍の位置を押す操作が行われた際には、押す操作が左右方向及び上下方向のどちらの成分も有することにより、タッチパネル部６の左右方向の回転と、枠型ジョイント部５の上下方向の回転が同時に生じる。
そして、この場合には、上下方向の回転として、枠型ジョイント部５とタッチパネル部６が一体に上下方向に回転することで、タクトスイッチ７１の上側２箇所又は下側２箇所をオンにしようとする。さらに、タッチパネル部６が枠型ジョイント部５に対して左右方向に回転することで、タクトスイッチ７１の左側２箇所又は右側２箇所をオンにしようとする。
これらが同時に生じることにより、タッチパネル部６の４隅の押された１箇所の隅部の奥側面がタクトスイッチ７１を押すことになる。
このように、上下方向、左右方向、４隅方向でそれぞれ、検出位置と数が異なるため、判別が可能となる。
【００２４】
[ストローク動作のロック作用]
実施例１では、ロック動作（施錠動作）とアンロック動作（開錠動作）をロックソレノイド４のオンオフによる進退部４１の進退により行う。
ロック動作として進退部４１を進出させると、進退部４１は、タッチパネル部６に設けたロックアーム部６２の係合穴６２１を貫通し、さらに、アウターケース３に設けたロック部３３の係合孔３３１を貫通する。
【００２５】
この状態では、ロックアーム部６２とロック部３３が重なる位置から相対的な移動ができなくなる。つまりロワケース８に対して、タッチパネル部６が左右方向に回転動作をできなくなる。また、ロワケース８に対する枠型ジョイント部５の上下方向の回転動作は、枠型ジョイント部５がタッチパネル部６と一体に回転するため、ロワケース８に対して、タッチパネル部６が上下方向に回転動作をできなくなることにより、上下方向の回転動作もできなくなる。
このように、実施例１のタッチパネルスイッチ１では、ロックソレノイド４による１箇所のロックにより、上下方向、左右方向いずれのストローク動作も不能にすることができる。
【００２６】
[誤操作及び誤動作の防止作用]
実施例１のタッチパネルスイッチ１に、操作入力を行う例に基づいて説明する。
図１５は実施例１のタッチパネルスイッチでの各部の状態を示すチャート図である。
以下操作の状態に合わせて、タッチパネル部６の検出状態（符号Ｂ２）、タッチパネル部６の表示状態（符号Ｂ３）、ロックソレノイド４の状態（符号Ｂ４）、制御部７２のタイマーの状態（符号Ｂ５）、タクトスイッチ７１の検出状態（符号Ｂ６）、ストローク動作状態（符号Ｂ７）を説明する。
【００２７】
（簡単なメニュー表示）
図１６は実施例１のタッチパネルスイッチの簡単なメニュー表示の状態を示す説明正面図である。図１７は実施例１のタッチパネルスイッチの簡単なメニュー表示の状態を示す説明底面図である。図１８は実施例１のタッチパネルスイッチの簡単なメニュー表示の状態を示す説明側面図である。
簡単なメニュー表示としては、図１６に表示Ａ、表示Ｂで示す初期メニューＳ８とする。
この状態は、初期メニューＳ８を表示してまだ操作がない状態であり（Ｓ１）、図１６〜図１８に示すように、ロックソレノイド４の進退部４１が進出したロック状態である（Ｓ１２）。そのため、タクトスイッチ７１はオフの状態であり（Ｓ１７）、ストローク動作は可動不可の状態である（Ｓ２０）。
【００２８】
（複雑なメニュー表示）
図１９は実施例１のタッチパネルスイッチの複雑なメニュー表示の状態を示す説明正面図である。図２０は実施例１のタッチパネルスイッチの複雑なメニュー表示の状態を示す説明底面図である。図２１は実施例１のタッチパネルスイッチの複雑なメニュー表示の状態を示す説明底面図である。図２２は実施例１のタッチパネルスイッチの複雑なメニュー表示の状態を示す説明側面図である。
図２３は実施例１のタッチパネルスイッチの複雑なメニュー表示の状態を示す説明正面図である。図２４は実施例１のタッチパネルスイッチの複雑なメニュー表示の状態を示す説明底面図である。図２５は実施例１のタッチパネルスイッチの複雑なメニュー表示の状態を示す説明側面図である。
図２６は実施例１のタッチパネルスイッチの複雑なメニュー表示の状態を示す説明正面図である。図２７は実施例１のタッチパネルスイッチの複雑なメニュー表示の状態を示す説明底面図である。図２８は実施例１のタッチパネルスイッチの複雑なメニュー表示の状態を示す説明側面図である。
【００２９】
初期メニューＳ８から選択操作により選択メニューＳ９に移行すると、図１９に示すように、表示Ａ〜表示Ｆまでが表示された複雑なメニュー表示の状態となる。
この選択メニューＳ９の状態では、タッチパネル部６への接触有りＳ２、ドラッグ操作Ｓ３、選択操作Ｓ４が行われる。なお、この状態では、図１９、図２０、図２２に示すように、ロックソレノイド４の進退部４１が進出したロック状態である（Ｓ１２）。そのため、タクトスイッチ７１はオフの状態であり（Ｓ１７）、ストローク動作は可動不可の状態である（Ｓ２０）。
【００３０】
そして、図１９における表示Ａ〜表示Ｆまでのいずれか、例えば、図２３に示すように表示Ｄへ確定するタッチ操作、つまりタッチパネル部６への手指の接触を長くすると（Ｓ５）、表示Ｄの色が変更するなどの確定メニューが表示される（Ｓ１０）。
すると、図２１、図２３〜図２８（図２６〜図２８はアウターケース３が無い状態の図）に示すように、ロックソレノイド４の進退部４１を退行させたアンロック状態（開錠）となる。
また、制御部７２では、確定メニューＳ１０と同期させて、タイマーのカウントをスタートさせ（Ｓ１５）、所定時間のアンロック状態を指示する（Ｓ１６）。
【００３１】
これにより、タッチパネル部６のロックアーム部６２の係合孔６２１から進退部４１が離脱しているため、タッチパネル部６及び枠型ジョイント部５のストローク動作が可能になる。
そのため、確定のための長押し操作は、タッチパネル部６を押し込む操作となり、ストローク動作が行われ、表示Ｄを押す操作ではタッチパネル部６及び枠型ジョイント部５が左右、上下方向の回転動作を行って、タッチパネル部６によりタクトスイッチ７１への入力操作が行われ、これを制御部７２で検知し、操作入力の判断を行う。
そして、その操作入力の判断に基づいた表示をタッチパネル部６の表示面に表示する（Ｓ１１）。
【００３２】
そして、タッチパネル部６への手指の接触入力がなくなると（Ｓ７）、タッチパネル部６への入力がなくなる（Ｓ１９）。これを制御部７２で検出してロックソレノイド４へ指示を出力し、ロックソレノイド４の進退部４１を進出させ、ロック状態へ移行する（Ｓ１４）。そして、ストローク動作ができない状態になる（Ｓ２２）。
【００３３】
実施例１のタッチパネルスイッチ１では、最終的な確定操作は、押し込み操作であるが、その押し込み操作（ストローク動作）になるには、確定操作が必要である。
つまり、実施例１では、ある表示へのタッチ入力による操作が確定し、その確定操作になっていることが表示され、押し込む操作を行って最終的に操作を確定させるのである。これは、非常にわかりやすい操作である。
【００３４】
例えば、ある表示へのタッチ入力による操作を確定し、その状態を長く保つ間に、確定操作になっていることが表示され、所定の時間が経過することで、最終的な操作が確定させることを考えることができる。しかし、この場合には、押し続ける時間が、実施例１の確定のための長押しよりかなり長い時間になるため、煩わしい。また、最終的な確定を操作者が感じることがなく、操作の結果で知ることになる。そのため、長押しの間に手指がずれてしまい、誤操作を行うことがある。また、それを結果で知るため、誤動作を引き起こす。
また、操作の途中で、間違った表示を手指で接触していると、表示されない所定時間が経過し、操作入力有りと判断される場合もあり、誤操作、誤動作になる。しかし、タッチ入力だけでは、このような問題を解決することができない。
【００３５】
実施例１のタッチパネルスイッチ１では、最終的な確定段階になるまでは、ストローク動作がロックソレノイド４により不可の状態にあるため、安心して、タッチ入力面、つまりタッチパネル部６の表示面に接触された手指で迷った操作を行うことができる。
また、間違った位置に手指をもし接触させていたとしても、押し込まなければよいのである。いくらでもなぞるように手指で操作すればよい。この時間が長くても、押し込む操作を行わなければ、誤動作、誤操作には至らないのである。
よって、誤操作、誤動作が防止できる。
【００３６】
また、実施例１のタッチパネルスイッチ１では、押し込む操作によるストローク動作と、これによるタクトスイッチ７１への入力が、タッチパネルスイッチ１では得られ難いクリック感、ストローク感を生成する。
そのため、良好な操作入力感を得ることができ、タッチパネルスイッチ１の使用感を向上させることができる。
これは、スイッチの品質、評価性能として非常に重要である。
【００３７】
さらに、ストローク動作をできなくするロック状態では、機械的にロックソレノイド４の進退部４１によりタッチパネル部６が動けないようにしているため、操作しない場合に、振動によるがたつきなどが防止される。
これは、実施例１のタッチパネルスイッチ１が、例えば車両に取り付けられた際に、走行やエンジン等により振動を装置が受けるため、非常に有効である。
【００３８】
次に、効果を説明する。
【００３９】
第１実施例のタッチパネルスイッチにあっては、下記に列挙する効果を得ることができる。
【００４０】
(1)表示面に操作に関する表示を行うLCD６４と、手指の接触または接近及び操作位置を検出するタッチパネル６３を有するタッチパネル部６と、タッチパネル部６を押し込み自在にするようタッチパネル部６を枠型ジョイント部５を介してアウターケース３に取り付ける機構と、タッチパネル部６の押し込む動作を検出するタクトスイッチ７１と、タッチパネル部６を枠型ジョイント部５を介してアウターケース３に取り付ける機構によるタッチパネル部６の押し込みをロックソレノイド４の駆動機構で止める進退部４１とロックアーム部６２、ロック部３３の係合と、ロック手段を制御する制御部７２を備え、制御部７２は、LCD６４又はタッチパネル６３の状況に基づいて、ロックソレノイド４の進退部４１によるロックを有効と無効に切り替えるため、最終的な決定操作を行う状態以外をロック状態にして、誤動作や誤操作を防止することができる。
【００４１】
(2) (1)において、制御部７２は、LCD６４により表示する操作メニューの複雑さに基づいて、ロックソレノイド４の進退部４１によるロックを有効と無効に切り替えるため、複雑なメニューを操作する際に、最終的な決定操作を行う状態以外をロック状態にして、誤動作や誤操作を防止することができる。
【００４２】
以上、本発明のタッチパネルスイッチを実施例１に基づき説明してきたが、具体的な構成については、これらの実施例に限られるものではなく、特許請求の範囲の各請求項に係る発明の要旨を逸脱しない限り、設計の変更や追加等は許容される。
【００４３】
例えば、実施例１では、タッチパネル部６での押し込みをタクトスイッチで検出したが、他の検出方法で検出してもよい。
【図面の簡単な説明】
【００４４】
【図１】実施例１のタッチパネルスイッチの斜視図である。
【図２】実施例１のタッチパネルスイッチの分解斜視図である。
【図３】実施例１のタッチパネルスイッチの断面図である。
【図４】実施例１のタッチパネルスイッチの左右方向のストローク動作状態を示す正面図である。
【図５】実施例１のタッチパネルスイッチの左右方向のストローク動作状態を示す底面図である。
【図６】実施例１のタッチパネルスイッチの左右方向のストローク動作状態で且つアウターケースの無い状態を示す底面図である。
【図７】実施例１のタッチパネルスイッチの左右方向のストローク動作状態を示す側面図である。
【図８】実施例１のタッチパネルスイッチの左右方向のストローク動作状態を示す斜視図である。
【図９】実施例１のタッチパネルスイッチの左右方向のストローク動作状態で且つアウターケースの無い状態を示す斜視図である。
【図１０】実施例１のタッチパネルスイッチの上下方向のストローク動作状態を示す正面図である。
【図１１】実施例１のタッチパネルスイッチの上下方向のストローク動作状態を示す側面図である。
【図１２】実施例１のタッチパネルスイッチの上下方向のストローク動作状態で且つアウターケースの無い状態を示す側面図である。
【図１３】実施例１のタッチパネルスイッチの上下方向のストローク動作状態を示す斜視図である。
【図１４】図１４は実施例１のタッチパネルスイッチの上下方向のストローク動作状態で且つアウターケースの無い状態を示す斜視図である。
【図１５】実施例１のタッチパネルスイッチでの各部の状態を示すチャート図である。
【図１６】実施例１のタッチパネルスイッチの簡単なメニュー表示の状態を示す説明正面図である。
【図１７】実施例１のタッチパネルスイッチの簡単なメニュー表示の状態を示す説明底面図である。
【図１８】実施例１のタッチパネルスイッチの簡単なメニュー表示の状態を示す説明側面図である。
【図１９】実施例１のタッチパネルスイッチの複雑なメニュー表示の状態を示す説明正面図である。
【図２０】実施例１のタッチパネルスイッチの複雑なメニュー表示の状態を示す説明底面図である。
【図２１】実施例１のタッチパネルスイッチの複雑なメニュー表示の状態を示す説明底面図である。
【図２２】実施例１のタッチパネルスイッチの複雑なメニュー表示の状態を示す説明側面図である。
【図２３】実施例１のタッチパネルスイッチの複雑なメニュー表示の状態を示す説明正面図である。
【図２４】実施例１のタッチパネルスイッチの複雑なメニュー表示の状態を示す説明底面図である。
【図２５】実施例１のタッチパネルスイッチの複雑なメニュー表示の状態を示す説明側面図である。
【図２６】実施例１のタッチパネルスイッチの複雑なメニュー表示の状態を示す説明正面図である。
【図２７】実施例１のタッチパネルスイッチの複雑なメニュー表示の状態を示す説明底面図である。
【図２８】実施例１のタッチパネルスイッチの複雑なメニュー表示の状態を示す説明側面図である。
【符号の説明】
【００４５】
１  タッチパネルスイッチ
２  フィニッシャー
２１  開口部
３  アウターケース
３１  軸受部
３２  スリット
３３  ロック部
３３１  係合孔
４  ロックソレノイド
４１  進退部
５  枠型ジョイント部
５１  突起部
５２  孔部
５３  スリット
６  タッチパネル部
６１  突起部
６２  ロックアーム部
６２１  係合穴
６３  タッチパネル
６４  LCD
７  基板部
７１  タクトスイッチ
７２  制御部
８  ロワケース
８１  軸受部
【図１】
2008287375.tif 000003
【図２】
2008287375.tif 000004
【図３】
2008287375.tif 000005
【図４】
2008287375.tif 000006
【図５】
2008287375.tif 000007
【図６】
2008287375.tif 000008
【図７】
2008287375.tif 000009
【図８】
2008287375.tif 000010
【図９】
2008287375.tif 000011
【図１０】
2008287375.tif 000012
【図１１】
2008287375.tif 000013
【図１２】
2008287375.tif 000014
【図１３】
2008287375.tif 000015
【図１４】
2008287375.tif 000016
【図１５】
2008287375.tif 000017
【図１６】
2008287375.tif 000018
【図１７】
2008287375.tif 000019
【図１８】
2008287375.tif 000020
【図１９】
2008287375.tif 000021
【図２０】
2008287375.tif 000022
【図２１】
2008287375.tif 000023
【図２２】
2008287375.tif 000024
【図２３】
2008287375.tif 000025
【図２４】
2008287375.tif 000026
【図２５】
2008287375.tif 000027
【図２６】
2008287375.tif 000028
【図２７】
2008287375.tif 000029
【図２８】
2008287375.tif 000030